(57)【要約】【課題】吹出口の位置を変えることができ、同時に異なる位置、角度への送風に使用できる組立式送風機を提供する。【解決手段】  直立式のクロスフローファン１外部には第一カバー２、第二カバー３が設けられ、前記第一カバー２、第二カバー３は、前部カバー体２０，３０と後部カバー体２１、３１がお互いに嵌合されることによって構成され、前記前部カバー体２０、３０には吹出口２０１、３０１が設けられ、前記後部カバー体２１、３１には吸込口２１１、３１１が設けられ、第一カバー２上方には軌道溝２００、２１０が設けられ、第二カバー３の底部にはそれぞれ底縁３００、３１０が設けられ、第一カバー２の軌道溝２００、２１０内において掛止されて定位され、軌道溝２００、２１０に沿って滑動させることができ、第二カバー３の上方には上蓋５が設けられた組立式送風機。【選択図】  図１
0003108612.tif 000002
【実用新案登録請求の範囲】
【請求項１】
直立式のクロスフローファンと、第一カバーと、第二カバーと、上蓋とからなる組立式送風機において、
前記直立式のクロスフローファンは、底座上に設けられており、
前記第一カバーは、底座上に設けられており、前記第一カバーは、前部カバー体と後部カバー体がお互いに嵌合されることによって構成されており、前記前部カバー体と後部カバー体の上方にはそれぞれストッパ縁が設けられており、ストッパ縁の下方内部には軌道溝が設けられており、前記前部カバー体には吹出口が設けられており、前記後部カバー体には吸込口が設けられており、
前記第二カバーは、前記第一カバーの上方に接合されており、前記第二カバーは、前部カバー体と後部カバー体がお互いに組合されることによって構成されており、前記前部カバー体と後部カバー体の底部にはそれぞれ底縁が設けられており、第一カバーの軌道溝内において掛止され、さらにストッパ縁によって定位され、前記前部カバー体には吹出口が設けられており、前記後部カバー体には吸込口が設けられており、
前記上蓋は、前記第二カバーの上方に設けられており、
前記クロスフローファンを運転させた時、空気は第一カバー、第二カバーの吸込口から吸込まれて吹出口から吹出され、使用者は第二カバーを回動させて送風位置を変えることができ、同時に異なる角度に送風することができるという利便性を有することを特徴とする組立式送風機。
【考案の詳細な説明】
【技術分野】
【０００１】
本考案は組立式送風機に係り、特に直立式のクロスフローファンが設けられており、前記クロスフローファン外部には第一カバー、第二カバーが設けられており、前記第一カバー、第二カバーは、前部カバー体と後部カバー体がお互いに嵌合されることによって構成されており、前記前部カバー体には吹出口が設けられており、前記後部カバー体には吸込口が設けられており、第一カバー上方には軌道溝が設けられており、第二カバーの底部にはそれぞれ底縁が設けられており、第一カバーの軌道溝内において掛止されて定位され、第二カバーの上方には上蓋が設けられており、前記クロスフローファンを運転させた時、空気は第一カバー、第二カバーの吸込口から吸込まれて吹出口から吹出され、使用者は第二カバーを回動させて吹出口の位置を変えることができ、同時に異なる角度に送風することができるという利便性を有する組立式送風機に関わる。
【背景技術】
【０００２】
一般の送風機はその多くが機座や送風部分が回動することによって、送風範囲を拡大することができるものであるが、機座が回動するものにしても、送風部分が回動するものにしても、左右両側や後側など、同時に異なる位置に送風することはできず、さらに公知構造の送風機はスタンド型にしても、卓上型にしても、ヘッド部分の上下角度を調整することによって送風範囲を変えることができるが、角度を上方に調整した時は下方には送風されず、逆に角度を下方に調整した時は下方にのみ送風がされ、つまり、公知構造の送風機は全面的な送風機能を有しておらず、本考案の考案者は上述の欠点を鑑み、研究、改良を行い、その結果本考案を考案した。
【特許文献１】特許公開２００３−３４３８７１号公報
【考案の開示】
【考案が解決しようとする課題】
【０００３】
本考案の主な目的は、吹出口の位置を変えることができ、同時に異なる位置、角度への送風に使用できる組立式送風機を提供することである。
【課題を解決するための手段】
【０００４】
前記課題を解決させるために、請求項１の考案は、  
直立式のクロスフローファンと、第一カバーと、第二カバーと、上蓋とからなる組立式送風機において、
前記直立式のクロスフローファンは、底座上に設けられており、
前記第一カバーは、底座上に設けられており、前記第一カバーは、前部カバー体と後部カバー体がお互いに嵌合されることによって構成されており、前記前部カバー体と後部カバー体の上方にはそれぞれストッパ縁が設けられており、ストッパ縁の下方内部には軌道溝が設けられており、前記前部カバー体には吹出口が設けられており、前記後部カバー体には吸込口が設けられており、
前記第二カバーは、前記第一カバーの上方に接合されており、前記第二カバーは、前部カバー体と後部カバー体がお互いに組合されることによって構成されており、前記前部カバー体と後部カバー体の底部にはそれぞれ底縁が設けられており、第一カバーの軌道溝内において掛止され、さらにストッパ縁によって定位され、前記前部カバー体には吹出口が設けられており、前記後部カバー体には吸込口が設けられており、
前記上蓋は、前記第二カバーの上方に設けられており、
前記クロスフローファンを運転させた時、空気は第一カバー、第二カバーの吸込口から吸込まれて吹出口から吹出され、使用者は第二カバーを回動させて送風位置を変えることができ、同時に異なる角度に送風することができるという利便性を有することを特徴とする組立式送風機である。
【考案の効果】
【０００５】
本考案により、使用者が第二カバーを回動させて吹出位置を変えることができ、同時に異なる角度に送風することができるという利便性を有する組立式送風機を提供できた。
【考案を実施するための最良の形態】
【０００６】
本考案の上述の目的と効果を達成するために採用された技術手段を実施例を挙げ図と共に詳細に説明する。
【０００７】
図１、２、３に示すように、本考案は、主に直立式のクロスフローファン１と、第一カバー２と、第二カバー３と、上蓋５とから構成されており、前記直立式のクロスフローファン１は、底座１０上に設けられている。
【０００８】
前記第一カバー２は、底座１０上に接合されており、前記第一カバー２は、前部カバー体２０と後部カバー体２１がお互いに嵌合されることによって構成されており、前記前部カバー体２０と後部カバー体２１の上方にはそれぞれ軌道溝２００、２１０が設けられており、軌道溝２００、２１０の頂面にはストッパ縁２０２、２１２が設けられており、前記前部カバー体２０には吹出口２０１が設けられており、前記吹出口２０１内には若干の調整つまみ４が枢結されており、前記後部カバー体２１には吸込口２１１が設けられている。
【０００９】
前記第二カバー３は、前記第一カバー２の上方に接合されており、前記第二カバー３は、前部カバー体３０と後部カバー体３１がお互いに嵌合されることによって構成されており、前記前部カバー体３０と後部カバー体３１の底部にはそれぞれ底縁３００、３１０が設けられており、第一カバー２上方の軌道溝２００、２１０内において掛止され、前記前部カバー体３０には吹出口３０１が設けられており、後部カバー体３１には吸込口３１１が設けられており、前部カバー体３０の両側の内側には嵌合突部３０２が設けられており、後部カバー体３１の両側の壁部には嵌合突部３０２に対応する嵌合孔３１２が設けられており、前記吹出口３０１の側壁には若干の凹孔３０３が設けられており、若干の調整つまみ４が枢結されており、調整つまみ４の一端には凸柱４０が設けられており、凹孔３０３に挿接されている。
【００１０】
前記上蓋５は、前記第二カバー３の上方に設けられており、上蓋５上にはスイッチ５０と若干の風速調整ボタン５１が設けられており、クロスフローファン１の運転のオンオフや風速制御が行われる。
【００１１】
組立時、図１、２、３に示すように、第二カバー３の前部カバー体３０の底部に設けられている底縁３００を第一カバー２上方の軌道溝２００或いは２１０内に掛止し、次に後部カバー体３１の底部に設けられている底縁３１０を第一カバー２上方の軌道溝２００或いは２１０内に掛止し、前部カバー体３０と後部カバー体３１の底縁３１０、３１１がストッパ縁２０２或いは２１２によって支持され、軌道溝２００、２１０に沿って滑動させることができ、次に前部カバー体３０の嵌合突部３０２を後部カバー体３１の嵌合孔３１２に嵌合し、その後上蓋５を第二カバー３の頂面に設置し、組立が完了する。
【００１２】
使用時は、図２、３、４、５に示すように、上蓋５のスイッチ５０を押してクロスフローファン１の運転を起動すると、空気はクロスフローファン１によって第一カバー２の吸込口２１１、第二カバー３の吸込口３１１から吸込まれてから吹出口２０１、３０１から吹出され、使用者は調整つまみ４を利用して送風角度を上下に調整することができ、また使用者は第二カバー３を回動させることにより吹出口３０１の位置を第一カバー２の吹出口２０１とは異なる位置に調整することができ（その調整角度は４５度、或いは９０度、或いは前後１８０度等の異なる角度である）、送風機は同時に異なる位置、角度に送風できるという利便性を提供できる。
【００１３】
図６に示すように、本考案は第一カバー２と第二カバー３との間にさらに第三カバー６を設置することができ、第三カバー６の底部には第二カバー３のように底縁が設けられており、第一カバー２上の軌道溝２００、２１０に掛止され、第三カバー６の上端には第一カバー２のように軌道溝が設けられており、第二カバー３の底縁３００，３１０が掛止され、このようにして送風機が組立てられ、第二カバー３と第三カバー６の吹出口を回動させることによって複数の異なる角度（例えば４５度、或いは６０度、或いは９０度、或いは前後１８０度等の異なる角度）に送風することができ、多方向への送風に使用できるという機能を提供できる。
【図面の簡単な説明】
【００１４】
【図１】本考案の立体分解図である。
【図２】本考案の組合部分の断面図である。
【図３】本考案の組立後の立体図である。
【図４】本考案の使用状態を示す参考図である。
【図５】本考案の使用状態を示すもう一つの参考図である。
【図６】本考案のもう一つの実施例の立体図である。
【符号の説明】
【００１５】
１      クロスフローファン
１０    底座
２      第一カバー
２０    前部カバー体
２００  軌道溝
２０１  吹出口
２０２  ストッパ縁
２１    後部カバー体
２１０  軌道溝
２１１  吸込口
２１２  ストッパ縁
３      第二カバー
３０    前部カバー体
３００  底縁
３０１  吹出口
３０２  嵌合突部
３０３  凹孔
３１    後部カバー体
３１０  底縁
３１１  吸込口
３１２  嵌合孔
４      調整つまみ
４０    凸柱
５      上蓋
５０    スイッチ
５１    風速調整ボタン
６      第三カバー      
【図１】
0003108612.tif 000003
【図２】
0003108612.tif 000004
【図３】
0003108612.tif 000005
【図４】
0003108612.tif 000006
【図５】
0003108612.tif 000007
【図６】
0003108612.tif 000008